【手続補正書】
【提出日】平成24年3月26日(2012.3.26)
【手続補正１】
【補正対象書類名】明細書
【補正対象項目名】００１１
【補正方法】変更
【補正の内容】
【００１１】
前記課題を解決するため、本発明の液晶表示素子の一態様は、第１の電極を形成した第１の基板と、第２の電極を形成した第２の基板とを、ホスト液晶に所定の色の二色性染料を添加した液晶層を介して、それぞれの電極が形成された面を対向させて配置したゲストホスト型の液晶表示装置であって、前記液晶層の液晶分子及び染料分子を、分子長軸を所定の方向に揃えたホモジニアス配向とホメオトロピック配向との何れか一方に配向させ、電圧の印加により、前記液晶分子及び前記染料分子の初期の配向状態を前記ホモジニアス配向またはホメオトロピック配向する方向に変化させる液晶素子と、前記液晶素子の表示面とは反対側の面に配置され、互いに直交する方向に吸収軸と透過軸をもち、前記吸収軸方向の振動成分の光を吸収し、前記透過軸方向の振動成分の光を透過させる偏光特性を有する吸収偏光板を有する第１偏光部材と、前記第１偏光部材に対向して配置され、互いに直交する方向に反射軸と透過軸をもち、前記反射軸方向の振動成分の光を反射し、前記透過軸方向の振動成分の光を透過させる偏光特性を有し、且つ光の透過率が前記吸収偏光板の透過率よりも大きい反射偏光板を有する第２偏光部材と、前記第２偏光部材に対向して配置された光源と、を備え、前記反射偏光板が前記反射軸を前記液晶分子及び前記染料分子の前記ホモジニアス配向状態における分子長軸方向に対して所定の角度以内の方向に向けて配置され、前記吸収偏光板が前記吸収軸を前記反射偏光板の反射軸と交差させて配置されている、ことを特徴とする。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００３５
【補正方法】変更
【補正の内容】
【００３５】
前記液晶素子１の後側に配置された第１偏光部材１１と、前記第１偏光部材１１の後側に配置された第２偏光部材１２とのうち、第２偏光部材１２は、図２のように、互いに直交する方向に吸収軸１２ａと透過軸１２ｂとをもち、前記吸収軸１２ａ方向の振動成分の光を吸収し、前記透過軸１２ｂ方向の振動成分の光を透過させる偏光特性を有する吸収偏光板からなっている。
【手続補正１３】
【補正対象書類名】明細書
【補正対象項目名】００３６
【補正方法】変更
【補正の内容】
【００３６】
また、前記第１偏光部材１１は、図２のように、互いに直交する方向に反射軸１１ａと透過軸１１ｂとをもち、前記反射軸１１ａ方向の振動成分の光を反射し、前記透過軸１１ｂ方向の振動成分の光を透過させる偏光特性を有する反射偏光板からなっている。
【手続補正１４】
【補正対象書類名】明細書
【補正対象項目名】００３９
【補正方法】変更
【補正の内容】
【００３９】
そして、前記反射偏光板１１は、前記反射軸１１ａを、前記液晶素子１の液晶分子９及び染料分子１０の前記ホモジニアス配向状態における分子長軸方向、つまり前記第１配向膜６及び第２配向膜７のラビング方向６ｒ，７ｒに対して所定の角度以内の方向に向けて配置され、前記吸収偏光板１２は、前記吸収軸１２ａを、前記反射偏光板１１の反射軸１１ａと交差させて配置されている。
【手続補正１５】
【補正対象書類名】明細書
【補正対象項目名】００４３
【補正方法】変更
【補正の内容】
【００４３】
この液晶表示装置は、上記のように、ホスト液晶に所定の色の二色性染料を添加し、液晶分子９及び染料分子１０を、分子長軸を所定の方向に揃えてホモジニアス配向させた液晶層８を有し、前記各画素電極４と対向電極５との間への電圧の印加により、前記液晶分子９及び染料分子１０の配向状態をホメオトロピック配向する方向に変化させる液晶素子１と、前記液晶素子１の後側に、反射軸１１ａを前記液晶分子９及び染料分子１０の前記ホモジニアス配向状態における分子長軸方向と略平行にさせて配置された反射偏光板１１と、前記反射偏光板１１の後側に、吸収軸１２ａを前記反射偏光板１１の反射軸１１ａと略直交させて配置された吸収偏光板１２と、前記吸収偏光板１２の後側に配置された光源１３とを備えている。
【手続補正１６】
【補正対象書類名】明細書
【補正対象項目名】００９７
【補正方法】変更
【補正の内容】
【００９７】
但し、前記吸収偏光板１２を、その吸収軸１２ａを前記反射偏光板１１の反射軸１１ａに対して斜めに交差させて配置すると、前記透過表示における無電界時に、前記吸収偏光板１２を透過し、さらに前記反射偏光板１１を透過して前記ゲストホスト液晶層８に入射した光のうち、前記液晶分子９及び染料分子１０のホモジニアス配向状態における分子長軸方向の振動成分の光が、二色性染料によりその吸収波長帯域の波長光を吸収されて着色するのに対し、前記分子長軸方向と直交する振動成分の光は、前記二色性染料により吸収されずに非着色光のまま出射するため、着色表示が薄くなってしまう。
【手続補正１７】
【補正対象書類名】明細書
【補正対象項目名】００９８
【補正方法】変更
【補正の内容】
【００９８】
そのため、前記吸収偏光板１２の吸収軸１２ａと前記反射偏光板１１の反射軸１１ａとの交差角は、４５°〜９０°の範囲、より好ましくは６０°〜９０°の範囲に設定するのが望ましく、この範囲の交差角にすることにより、前記透過表示における無電界時の非着色光の出射量を少なくし、充分な濃さの着色表示を得ることができる。
【手続補正１８】
【補正対象書類名】特許請求の範囲
【補正対象項目名】全文
【補正方法】変更
【補正の内容】
【特許請求の範囲】
【請求項１】
第１の電極を形成した第１の基板と、第２の電極を形成した第２の基板とを、ホスト液晶に所定の色の二色性染料を添加した液晶層を介して、それぞれの電極が形成された面を対向させて配置したゲストホスト型の液晶表示装置であって、
前記液晶層の液晶分子及び染料分子を、分子長軸を所定の方向に揃えたホモジニアス配向とホメオトロピック配向との何れか一方に配向させ、電圧の印加により、前記液晶分子及び前記染料分子の初期の配向状態を前記ホモジニアス配向またはホメオトロピック配向する方向に変化させる液晶素子と、
前記液晶素子の表示面とは反対側の面に配置され、互いに直交する方向に吸収軸と透過軸をもち、前記吸収軸方向の振動成分の光を吸収し、前記透過軸方向の振動成分の光を透過させる偏光特性を有する吸収偏光板を有する第１偏光部材と、
前記第１偏光部材に対向して配置され、互いに直交する方向に反射軸と透過軸をもち、前記反射軸方向の振動成分の光を反射し、前記透過軸方向の振動成分の光を透過させる偏光特性を有し、且つ光の透過率が前記吸収偏光板の透過率よりも大きい反射偏光板を有する第２偏光部材と、
前記第２偏光部材に対向して配置された光源と、
を備え、
前記反射偏光板が前記反射軸を前記液晶分子及び前記染料分子の前記ホモジニアス配向状態における分子長軸方向に対して所定の角度以内の方向に向けて配置され、
前記吸収偏光板が前記吸収軸を前記反射偏光板の反射軸と交差させて配置されている、
ことを特徴とする液晶表示装置。
【請求項２】
前記反射偏光板は、その反射軸方向の振動成分の光を、前記吸収偏光板の吸収軸方向の振動成分の光の透過率よりも大きい透過率で透過させる特性を有していることを特徴とする請求項１に記載の液晶表示装置。
【請求項３】
前記反射偏光板は、前記反射軸を、前記液晶分子及び前記染料分子の前記ホモジニアス配向状態における分子長軸方向に対して０°〜４５°の範囲の方向に向けて配置されていることを特徴とする請求項２に記載の液晶表示装置。
【請求項４】
前記反射偏光板は、前記反射軸を、前記液晶分子及び前記染料分子の前記ホモジニアス配向状態における分子長軸方向に対して０°〜３０°の範囲の方向に向けて配置されていることを特徴とする請求項３に記載の液晶表示装置。
【請求項５】
前記反射偏光板は、前記反射軸を、前記液晶分子及び前記染料分子の前記ホモジニアス配向状態における分子長軸方向と実質的に平行にして配置されていることを特徴とする請求項４に記載の液晶表示装置。
【請求項６】
前記吸収偏光板は、前記吸収軸を前記反射偏光板の反射軸に対して４５°〜９０°の範囲の方向に向けて配置されていることを特徴とする請求項１から５の何れかに記載の液晶表示装置。
【請求項７】
前記吸収偏光板は、前記吸収軸を前記反射偏光板の反射軸に対して６０°〜９０°の範囲の方向に向けて配置されていることを特徴とする請求項６に記載の液晶表示装置。
【請求項８】
前記吸収偏光板は、前記吸収軸を前記反射偏光板の反射軸と実質的に直交させて配置されていることを特徴とする請求項７に記載の液晶表示装置。
【請求項９】
前記ホスト液晶への前記二色性染料の添加量と前記液晶層の層厚とは、前記ホモジニアス配向状態において、前記表示面から入射し、前記反射偏光板により反射されて前記表示面から射出する光の前記二色性染料による吸収率が所定の値になるように設定されていることを特徴とする請求項１から８の何れかに記載の液晶表示装置。
【請求項１０】
前記ホスト液晶は正の誘電異方性を有しており、前記液晶分子及び前記染料分子は、無電界状態において、分子長軸を所定の方向に揃えてホモジニアス配向していることを特徴とする請求項１から９の何れかに記載の液晶表示装置。
【請求項１１】
前記ホスト液晶は、カイラル材を含まないネマティック液晶からなっていることを特徴とする請求項１から１０の何れかに記載の液晶表示装置。
【請求項１２】
前記反射偏光板は、その反射軸方向の振動成分の光を、光の波長が４００ｎｍ以上７００ｎｍ以下のときに１０％以下の透過率で透過させることを特徴とする請求項２に記載の液晶表示装置。
【請求項１３】
前記反射偏光板は、その反射軸方向の振動成分の光を、光の波長が実質的に５５０ｎｍのときに実質的に４．３％の透過率で透過させることを特徴とする請求項１２に記載の液晶表示装置。